(57)【特許請求の範囲】
【請求項１】
床スラブを貫通し上下方向に延びる配管を囲む二重床構造であって、
前記床スラブに設置された支持脚と、
該支持脚に支持された床材と、
前記配管を囲むように筒状に形成され、前記床スラブから少なくとも前記床材よりも上方まで延びる筒状部と、
前記配管と前記筒状部との間に設けられた吸音材と、
前記筒状部の側部と前記床材の端部との間に介在する緩衝材と、
該床材の前記端部側から上方に延びる壁材と、を備えることを特徴とする二重床構造。
【請求項２】
床スラブから少なくとも床材よりも上方まで延び筒状に形成された筒状部を、前記床スラブを貫通し上下方向に延びる配管を囲むように設置する筒状部設置工程と、
前記配管と前記筒状部との間に吸音材を設置する吸音材設置工程と、
前記床スラブに支持脚を設置する支持脚設置工程と、
床材を前記支持脚の上部に設置する床材設置工程と、
前記筒状部の側部と前記床材の端部との間に緩衝材を介在させる緩衝材設置工程と、
前記床材の前記端部側に、上方に延びる壁材を設置する壁材設置工程と、を備えることを特徴とする二重床設置方法。
【発明の詳細な説明】
【技術分野】
【０００１】
本発明は、二重床構造及び二重床設置方法に関するものである。
【背景技術】
【０００２】
従来から、マンション等の集合住宅においては、床スラブ上に支持脚を設置し、支持脚にパーティクルボードや合板等の床下地材を設置し、床下地材の上に床仕上げ材を敷設した二重床構造が採用されている。この二重床構造では、床スラブと床下地材との間に支持脚の高さに相当する高さの空間部が形成され、当該空間部に配管や電気配線等を設置することができる。
【０００３】
床スラブを貫通するように上下方向に延びる給排水の配管が配置された場合の二重床の施工方法として、例えば特許文献１に記載のものが提案されている。特許文献１では、配管が挿通される貫通孔を形成するようにして、床スラブを施工する。続いて、貫通孔を囲むように矩形状のシャフトを形成する一辺側に、床スラブから上方に延びる石膏ボード等の隙間塞ぎボードを設置し、貫通孔に配管を建て込む。床スラブに支持脚を設置して、貫通孔（配管）における隙間塞ぎボードが設けられていない側に床下地構造体を設置する。床下地構造体は、支持脚に支持される床パネルと、床パネルから下方に延び床スラブ緩衝材を介して床スラブに支持される補強部と、を有している。次に、床下地構造体に設けられたランナーに沿って複数の間柱を設置し、間柱間に壁下地ボードを架け渡す。これにより、配管まわりのパイプスペースが、隙間塞ぎボード、床下地構造体の補強部、間柱及び壁下地ボードで囲またシャフトが形成され、遮音性を確保する構成である。
【先行技術文献】
【特許文献】
【０００４】
【特許文献１】特開２００９−２７５４６５号公報
【発明の概要】
【発明が解決しようとする課題】
【０００５】
上記の特許文献１に記載されたような二重床の施工方法では、配管の設置は配管工事を専門とする配管作業員が行う。また、隙間塞ぎボード、間柱及び壁下地ボードを設置するのは壁工事を専門とする壁作業員が行う。また、支持脚及び床下地構造体を設置するのは床工事を専門とする床作業員が行う。このように作業分野によって、作業をする作業員が異なるのが一般的である。このため、壁作業員が隙間塞ぎボードを設置した後、配管作業員が床スラブの貫通孔に配管を通し、床作業員が床下地構造体等の床材を設置し、再び壁作業員が床下地構造体のランナーに沿って間柱及び壁下地ボードを設置する。このように、壁作業員は、床作業員が床材を設置する前後の工程で、施工現場に行き作業を行わなくてはならないため、作業の効率が悪いという問題点がある。
【０００６】
そこで、本発明は、上記事情に鑑みてなされたものであり、遮音性を確保しつつ、効率良く施工できる二重床構造及び二重床設置方法を提供する。
【課題を解決するための手段】
【０００７】
上記目的を達成するために、本発明は以下の手段を採用している。
すなわち、本発明に係る二重床構造は、床スラブを貫通し上下方向に延びる配管を囲む二重床構造であって、前記床スラブに設置された支持脚と、該支持脚に支持された床材と、前記配管を囲むように筒状に形成され、前記床スラブから少なくとも前記床材よりも上方まで延びる筒状部と、前記配管と前記筒状部との間に設けられた吸音材と、前記筒状部の側部と前記床材の端部との間に介在する緩衝材と、該床材の前記端部側から上方に延びる壁材と、を備えることを特徴とする。
【０００８】
また、本発明に係る二重床設置方法は、床スラブから少なくとも床材よりも上方まで延び筒状に形成された筒状部を、前記床スラブを貫通し上下方向に延びる配管を囲むように設置する筒状部設置工程と、前記配管と前記筒状部との間に吸音材を設置する吸音材設置工程と、前記床スラブに支持脚を設置する支持脚設置工程と、床材を前記支持脚の上部に設置する床材設置工程と、前記筒状部の側部と前記床材の端部との間に緩衝材を介在させる緩衝材設置工程と、前記床材の前記端部側に、上方に延びる壁材を設置する壁材設置工程と、を備えることを特徴とする。
【０００９】
このような構成では、配管の周りには少なくとも床材よりも上方まで延びる筒状部が設置され、配管と筒状部との間には吸音材が配置されている。よって、配管内を流通する流体等の音が吸音材により吸音されるため、配管内の音が室内側（壁材を挟んで配管側と反対側）に伝達されることが抑制される。また、配管の周りには、筒状部が設置されるとともに、床スラブに設置された支持脚に支持された床材の端部側から上方に延びる壁材が設置されている。よって、配管の周りは、筒状部及び壁材で囲まれているため、配管内の音の室内側への伝達が遮断される。さらに、筒状部の側部と床材の端部との間には、緩衝材が介在している。よって、筒状部と床材との間に介在する緩衝材により、筒状部と床材とは分離されている（縁が切れている）ため、筒状部側から床材側に向かって伝達される配管内の音は緩衝材により遮断され、遮音性を確保することができる。
また、二重床構造を施工する際には、筒状部の高さは少なくとも床材よりも上方まで延びる程度であるため、筒状部の設置及び吸音材の設置を、配管作業員が行うことができる。その後、支持脚の設置、床材の設置及び緩衝材の設置を、床作業員が行う。これらの施工後に、壁作業員が壁材を設置する。よって、配管作業員の作業後に、床作業員が作業をし、その後に壁作業員が作業をすることで二重床が構築されるため、作業者間で流れのよい工程となり、効率良く施工することができる。
【発明の効果】
【００１３】
本発明に係る二重床構造及び二重床設置方法によれば、遮音性を確保しつつ、効率良く施工できる。
【図面の簡単な説明】
【００１４】
【図１】本発明の第一実施形態に係る二重床構造を模式的に示した縦断面図である。
【図２】本発明の第一実施形態に係る二重床構造の筒状部の構成を示す斜視図である。
【図３】本発明の第二実施形態に係る二重床構造を模式的に示した縦断面図である。
【図４】本発明の第二実施形態の変形例に係る二重床構造を模式的に示した縦断面図である。
【図５】本発明の二重床構造の実施例と比較した比較例を模式的に示した縦断面図である。
【図６】本発明の二重床構造の実施例を模式的に示した縦断面図である。
【図７】本発明の二重床構造の実施例及び比較例の遮音性能を示すグラフである。
【発明を実施するための形態】
【００１５】
（第一実施形態）
本発明の第一実施形態に係る二重床構造について、図面を用いて説明する。
図１は、本発明の第一実施形態に係る二重床構造を模式的に示した縦断面図である。
本実施形態の二重床構造は、例えば、マンションやアパート等の集合住宅に設置されるものである。図１に示すように、床スラブ１の上方に床材１４を配置して、床スラブ１と床材１４との間に空間Ｓ１を設けることで、空間Ｓ１に上下水道の配管や電気配線等（不図示）を配置することができる。
【００１６】
床スラブ１には、上下方向に貫通する配管孔１Ｈが形成されている。上下方向に延びる縦配管（配管）２が、配管孔１Ｈに挿通されている。本実施形態の二重床構造１０は、縦配管２の周りに設置されている。
【００１７】
二重床構造１０は、縦配管２を囲むように設置された囲い部材（筒状部）１１と、縦配管２と囲い部材１１との間に設けられた吸音材１２と、床スラブ１に設置された支持脚１３と、支持脚１３に支持された床材１４と、囲い部材１１と床材１４との間に介在する緩衝材１５と、床材１４に設置された壁材１６と、を備えている。
【００１８】
図２は、本発明の第一実施形態に係る二重床構造１０の囲い部材１１の構成を示す斜視図である。
図１及び図２に示すように、囲い部材１１は、平面視矩形をなすとともに筒状に形成されている。囲い部材１１は、パーティクルボードやベニヤ板等の板状部材を組み付けて構成されている。なお、囲い部材１１の形状は、円筒状等適宜選択可能である。
【００１９】
囲い部材１１は、床スラブ１に載置され、内部に縦配管２が配置されている。囲い部材１１の高さは、縦配管２における床スラブ１側の部分を囲む程度であり、少なくとも床材１４よりも上方まで延びていればよい。本実施形態では、囲い部材１１の高さは、上端部１１Ｔが床材１４の上面１４Ｔよりもわずかに上方に位置する程度である。また、囲い部材１１は、床スラブ１に設けられたアンカーボルト等（不図示）を介して、床スラブ１に固定される構成であってもよい。囲い部材１１の側面（側部）１１Ｓと床スラブ１の端部及び天井３の端部との間には、モルタル等の充填材１Ｍで充填されている。
【００２０】
吸音材１２は、縦配管２と吸音材１２との間に、縦配管２の外周を囲むように配置されている。吸音材１２は、囲い部材１１の略全長にわたって配置されている。吸音材１２として、ガラス繊維で形成されたグラスウールを採用することができる。
【００２１】
支持脚１３は、例えば、床スラブ１に設置される防振ゴム等で構成された基部１３Ａと、基部１３Ａから上方に延びる軸部１３Ｂと、軸部１３Ｂの先端部に設けられた台座部１３Ｃと、を有している。台座部１３Ｃは床材１４に固定されている。軸部１３Ｂの先端部に雄ネジ（不図示）が形成され、雄ネジが台座部１３Ｃを貫通して床材１４に螺合されて固定されもよいし、床材１４から台座部１３Ｃにくぎ打ち等で固定されてもよい。
【００２２】
床材１４は、パーティクルボード等で構成されて、支持脚１３に固定されている。床材１４は、端部１４Ｅが囲い部材１１の側面１１Ｓとわずかに離間するようにして配置されている。
【００２３】
緩衝材１５は、床材１４の端部１４Ｅと囲い部材１１の側面１１Ｓとの間に介在するように配置されている。緩衝材１５として、弾性シーリング材を採用することができる。
【００２４】
壁材１６は、床材１４の端部１４Ｅ側において、床材１４の上面１４Ｔから天井３の下面３Ｂにまで延びるように設置されている。壁材１６は、床材１４及び天井３にビス等（不図示）により固定されている。
【００２５】
図１に示すように、縦配管２を挟んで両側に壁材１６を配置することで、壁材１６間の空間は縦配管２が配置されるパイプスペースＳ２とされる。壁材１６を挟んでパイプスペースＳ２と反対側の空間Ｓ３は、居室等として利用可能である。また壁材１６と直交するようにさらに一対の（図１に示す紙面の奥行方向手前側及び奥側に）壁材を設けて、縦配管２を壁材で平面視矩形状に囲むようにパイプスペースを形成してもよい。
【００２６】
次に、上記の二重床構造１０の施工方法について説明する。
まず、筒状部設置工程を行う。配管作業員は、縦配管２を所定の位置に設置した後、縦配管２に囲い部材１１を通して、囲い部材１１を床スラブ１の上に載置し、囲い部材１１と床スラブ１との間の隙間にモルタル等の充填材１Ｍで充填する。
【００２７】
次に、吸音材設置工程を行う。配管作業員は、縦配管２と囲い部材１１の間に吸音材１２を詰める。以上にて、配管作業員の作業は終了する。
【００２８】
次に、支持脚設置工程を行う。床作業員は、床スラブ１の所定の位置に支持脚１３を設置する。
【００２９】
次に、床材設置工程を行う。床作業員は、支持脚１３の台座部１３Ｃの上に床材１４を設置する。床材１４に不陸、傾斜がないように、支持脚１３の高さを調整し、支持脚１３と床スラブ１とを適宜固定する。この際、床材１４の端部１４Ｅは、囲い部材１１の側面１１Ｓからわずかに離間させておく。
【００３０】
次に、緩衝材設置工程を行う。床作業員は、囲い部材１１の側面１１Ｓと床材１４の端部１４Ｅとの間に、弾性シーリング材等の緩衝材１５を注入する。以上にて、床作業員の作業は終了する。
【００３１】
次に、壁材設置工程を行う。壁作業員は、床材１４の端部１４Ｅ側等所定の位置に、壁材１６を設置する。壁材１６と床材１４、天井３とは適宜固定する。以上にて、壁作業員の作業は終了する。
【００３２】
このように構成された二重床構造１０及び二重床設置方法では、縦配管２の周りには少なくとも床材１４よりも上方まで延びる囲い部材１１が設置され、縦配管２と囲い部材１１との間には吸音材１２が配置されている。よって、縦配管２内を流通する流体等の音が吸音材１２により吸音されるため、縦配管２内の音が空間Ｓ３側に伝達されることが抑制される。
【００３３】
また、縦配管２の周りには、囲い部材１１が設置されるとともに、床スラブ１に設置された支持脚１３に支持された床材１４の端部１４Ｅ側から上方に延びる壁材１６が設置されている。よって、縦配管２の周りは、囲い部材１１及び壁材１６で囲まれているため、縦配管２内の音の室内側への伝達が遮断される。
【００３４】
さらに、囲い部材１１の側面１１Ｓと床材１４の端部１４Ｅとの間には、緩衝材１５が介在している。よって、囲い部材１１と床材１４との間に介在する緩衝材１５により、囲い部材１１と床材１４とは分離されている（縁が切れている）ため、囲い部材１１側から床材１４側に向かう縦配管２内の音は緩衝材１５により遮断され、遮音性を確保することができる。
【００３５】
また、二重床構造１０を施工する際には、囲い部材１１の高さは少なくとも床材１４よりも上方まで延びる程度であるため、囲い部材１１の設置及び吸音材１２の設置を、配管作業員が行うことができる。その後、支持脚１３の設置、床材１４の設置及び緩衝材１５の設置を、床作業員が行う。これらの施工後に、壁作業員が壁材１６を設置する。よって、配管作業員の作業後に、床作業員が作業をし、その後に壁作業員が作業をすることで二重床が構築されるため、作業員間で流れのよい工程となり、効率良く施工することができる。
【００３６】
（第二実施形態）
次に、本発明の第二実施形態に係る二重床構造について、主に図３を用いて説明する。
以下の実施形態、変形例において、前述した実施形態で用いた部材と同一の部材には同一の符号を付して、その説明を省略する。
図３は、本発明の第二実施形態に係る二重床構造を模式的に示した縦断面図である。
第一実施形態では二重床構造１０はパイプスペースに隣接して設けられているが、本実施形態では二重床構造１０Ａはパイプスペースに隣接していない。
【００３７】
図３に示すように、二重床構造１０Ａは、床スラブ１に設置された支持脚１３と、支持脚１３に支持された床材１４と、床スラブ１と床材１４との間に配置されるパネル材１７と、床材１４とパネル材１７との間に介在する緩衝材１５と、床材１４に設置された壁材１６と、を備えている。
【００３８】
床材１４は、端部１４Ｅがパネル材１７の側面（側部）１７Ｓとわずかに離間するようにして配置されている。
【００３９】
パネル材１７は、パーティクルボード等により板状に形成されている。パネル材１７は、床スラブ１に設置された桟木等の固定材１８に対して、ビス等の固定具１９により固定されている。パネル材１７の高さは、上端部１７Ｔが床材１４の上面１４Ｔよりもわずかに下方に位置する高さとされている。
【００４０】
緩衝材１５は、床材１４の端部１４Ｅとパネル材１７の側面１７Ｓとの間に介在するように配置されている。緩衝材１５として、弾性シーリング材を採用することができる。
【００４１】
床材１４には、例えば上向きコ字状の壁支持材２０が設置されている。壁支持材２０は、平面視において、床材１４、緩衝材１５及びパネル材１７に重なるように配置されている。換言すると、壁支持材２０は、床材１４からパネル材１７側に向かって約１０ｍｍ張り出すように配置されている。
【００４２】
壁支持材２０に沿って、複数のスタッド（不図示）が配置され、隣り合うスタッド間に跨るように壁材１６が設けられている。壁材１６は、壁支持材２０よりも室内側に配置されている。壁材１６は、壁支持材２０を貫通して床材１４にビス等（不図示）により固定されている。なお、壁支持材２０は、床材１４からパネル材１７側に向かって張り出さずに、平面視において床材１４内に納まるように配置されていてもよい。
【００４３】
次に、上記の二重床構造１０Ａの施工方法について説明する。
まず、パネル材設置工程を行う。床作業員は、床スラブ１に設置された固定材１８にパネル材１７の下端部を固定して、パネル材１７を床スラブ１上に立設させる。
【００４４】
続いて、床作業員は、支持脚設置工程、床材設置工程及び緩衝材設置工程を順に行う。床材設置工程では、床材１４の端部１４Ｅを、パネル材１７の側面１７Ｓからわずかに離間させておく。また、床材１４の上面１４Ｔが、パネル材１７の上端部１７Ｔよりも上方に位置するように、床材１４の高さを調整して設置する。緩衝材設置工程では、床材１４の端部１４Ｅとパネル材１７の側面１７Ｓとの間に、緩衝材１５を注入する。以上にて、床作業員の作業は終了する。
【００４５】
続いて、壁作業員が、壁材設置工程を行う。壁作業員は、壁支持材２２を、床材１４の端部１４Ｅからパネル材１７側に張り出す位置に配置して、床材１４に壁支持材２０を固定する。壁支持材２０に沿って、壁材１６を設置する。壁材１６と床材１４及び天井３とは適宜固定する。以上にて、壁作業員の作業は終了する。
【００４６】
このように構成された二重床構造１０Ａ及び二重床設置方法では、板状に形成され、床材１４まで延びるパネル材１７が設置されている。また、床スラブ１に設置された支持脚１３に支持された床材１４の端部１４Ｅ側には、上方に延びる壁材１６が設置されている。よって、パネル材１７及び壁材１６により、これらを挟んで両側の空間Ｓ１１，Ｓ１２が区画されているため、一方の空間Ｓ１１から他方の空間Ｓ１２への音の伝達が遮断される。
【００４７】
また、床材１４の端部１４Ｅとパネル材１７の側面１７Ｓとの間には、緩衝材１５が介在している。よって、床材１４とパネル材１７との間に介在する緩衝材１５により、床材１４とパネル材１７とは分離されている（縁が切れている）ため、パネル材１７側から床材１４側に向かう音（及び床材１４側からパネル材１７側に向かう音）は緩衝材１５により遮断され、遮音性を確保することができる。
【００４８】
また、二重床構造１０Ａを施工する際には、パネル材１７は床スラブ１から床材１４まで延びる高さであるため、パネル材１７の設置、支持脚１３の設置、床材１４の設置及び緩衝材１５の設置は、床を施工する床作業員がすることができる。これらの施工後に、壁作業員が壁材１６を設置すればよい。よって、床作業員の作業工程後に壁作業員の作業工程を行うことで二重床が構築されるため、流れのよい工程であり、効率良く施工することができる。
【００４９】
（第二実施形態の変形例）
次に、本発明の第二実施形態の変形例に係る二重床構造について、主に図４を用いて説明する。
図４は、本発明の第二実施形態の変形例に係る二重床構造を模式的に示した縦断面図である。
第二実施形態では、床材１４の端部１４Ｅとパネル材１７との間には、弾性シーリング材等の緩衝材１５が設けられているが、本変形例では、グラスウール等の緩衝材１５Ａが設けられている。
【００５０】
（実施例、比較例）
以下、上記に示す二重床構造及び二重床設置方法の実施例について、比較例と比較しつつ説明する。
【００５１】
図５は、本発明の二重床構造の実施例と比較した比較例を模式的に示した縦断面図である。図６は、本発明の二重床構造の実施例を模式的に示した縦断面図である。
まず、比較例について説明する。
図５に示すように、比較例では、床スラブ１から天井スラブ４０まで延びる外側壁３３と、床スラブ１に支持された支持脚１３と、支持脚１３に支持された床材１４と、天井スラブ４０に図示しない支持具で支持された天井パネル４１と、床材１４の上に立設された内側壁３２と、を有している。
【００５２】
内側壁３２は、下端部３２Ｂが床材１４の上面１４Ｔに支持され、上端部３２Ｔが天井パネル４１よりもわずかに上方にまで到達している。
【００５３】
外側壁３１は厚み９．５ｍｍのパネル部材であり、内側壁は厚み１２．５ｍｍのパネル部材であり、天井パネルは厚み９．５ｍｍのパネル部材である。
【００５４】
比較例は、外側壁３１を設置した後に、支持脚１３、床材１４、内側壁３２及び天井パネル４１を設置するいわゆる壁先行工法である。
【００５５】
次に、実施例について説明する。
図６に示すように、実施例では、床スラブ１に支持された支持脚１３と、支持脚１３に支持された床材１４と、天井スラブ４０に図示しない支持具で支持された天井パネル４１と、床材１４の上に立設された外側壁３３及び内側壁３２と、床スラブ１から立設して床材１４まで延びるパネル材１７と、を有している。
【００５６】
外側壁３３は、下端部３３Ｂが床材１４の上面１４Ｔに支持され、上端部３３Ｔが天井スラブ４０にまで到達している。内側壁３２は、下端部３２Ｂが床材１４の上面１４Ｔに支持され、上端部３２Ｔが天井パネル４１よりもわずかに上方にまで到達している。
【００５７】
パネル材１７は、下端部１７Ｂが床スラブ１の上面１Ｔに支持され、上端部１７Ｔが床材１４の上面１４Ｔと略同一の高さにまで到達している。パネル材１７として、厚み２０ｍｍのパーティクルボードが採用されている。
【００５８】
外側壁は厚み９．５ｍｍのパネル部材であり、内側壁は厚み１２．５ｍｍのパネル部材であり、天井パネルは厚み９．５ｍｍのパネル部材である。
【００５９】
実施例は、支持脚１３、床材１４を設置した後に、外側壁３３及び内側壁３２を設置し、天井パネル４１を設置するいわゆる床先行工法である。
【００６０】
比較例及び実施例ともに、外側壁３３及び内側壁３２を挟んで一方側（外側壁側）の空間Ｓ３１は、ユニットバスやパイプスペース等の空間を想定している。一方、外側壁及び内側壁を挟んで他方側（内側壁側）の空間Ｓ３２は、居室等の空間を想定している。
【００６１】
図７は、本発明の二重床構造の実施例及び比較例の遮音性能を示すグラフである。
上記の比較例及び実施例を用意して、ＪＩＳ  Ａ  １４１６：２０００に規定されたタイプＩＩ試験室の試験室を使用して、室間音圧レベル差を測定した。図７にその結果を示すとおり、実施例は比較例と同等の遮音性能を有することが分かる。
【００６２】
なお、上述した実施の形態において示した組立手順、あるいは各構成部材の諸形状や組み合わせ等は一例であって、本発明の主旨から逸脱しない範囲において設計要求等に基づき種々変更可能である。
【符号の説明】
【００６３】
１０，１０Ａ，１０Ｂ…二重床構造  １１…囲い部材  １２…吸音材  １３…支持脚  １３Ａ…基部  １３Ｂ…軸部  １３Ｃ…台座部  １４…床材  １５…緩衝材  １６…壁材  １７…パネル材  １…床スラブ  １Ｈ…配管孔  ２…縦配管
【図１】
0006653495.tif 000002
【図２】
0006653495.tif 000003
【図３】
0006653495.tif 000004
【図４】
0006653495.tif 000005
【図５】
0006653495.tif 000006
【図６】
0006653495.tif 000007
【図７】
0006653495.tif 000008